(57)【特許請求の範囲】
【請求項１】
撮影レンズから入射した被写体像を撮像するための撮像素子が、撮像面と等しい位置となるように収納されたデジタル用のカメラバックを、カメラ本体に対して着脱可能にした撮像装置であって、
前記撮影レンズから入射した被写体像の光路上に前記撮像素子よりも大きいサイズの開口部が形成された前記カメラバック内に配置され、前記撮像素子を取付けた支持手段と、
前記支持手段に設けられ、前記開口部に対向する位置に移動して該開口部を閉鎖する閉鎖手段と、
前記支持手段を移動させ、前記撮像素子または前記閉鎖手段を前記開口部に対向する位置に移動させる移動手段と、
を有する撮像装置。
【請求項２】
前記撮像素子が前記開口部に対応する位置に配置されている場合に、前記カメラバックを前記カメラ本体に係止させるための係止手段をさらに設け、
前記閉鎖手段が前記開口部に対応する場合にのみ、前記係止手段の係止を解除可能とした請求項１記載の撮像装置。
【発明の詳細な説明】
【０００１】
【発明の属する技術分野】
本発明は、カメラバックを交換可能とした撮像装置，並びに被写体像を単に確認するだけの確認モードおよび被写体像を実際に記録するための記録モードを有する撮像装置に関する。
【０００２】
【従来の技術】
スチルカメラの中には、撮影レンズから入射した被写体像を撮像するためのＣＣＤなどの撮像素子またはフィルムが、それぞれ収納されたデジタル用のカメラバックまたはフィルム用のカメラバックを、カメラ本体に対して着脱可能としたものがある。
【０００３】
そして、上記スチルカメラでは、デジタル用のカメラバックをカメラ本体に装着することによってデジタル撮影が可能となり、一方フィルム用のカメラバックをカメラ本体に装着することによってフィルム撮影が可能となる。即ち、このスチルカメラは、上記各カメラバックを交換することにより、ユーザがデジタル撮影またはフィルム撮影を任意に選択できる。
【０００４】
即ち、図１１に示すように、上述したようなカメラバック交換カメラ（以下、単に「カメラ」という）１０は、カメラ本体であるカメラボディ１２を中間に挟んで、撮影レンズ２２などを含むレンズユニット２０およびフィルムバック２６を着脱可能としている。
【０００５】
カメラボディ１２の上部には、フォーカスを確認するためのファィンダ１８が配置されていると共に、このファィンダ１８を開閉するための蓋１９が回転可能に軸支されている。また、カメラボディ１２の後面には、撮影レンズ２２から入射した被写体像の光路上に、開口部１３が形成されている。
【０００６】
さらに、カメラボディ１２の前面にはレリーズボタン１６が配置されており、かつカメラボディ１２内にはハーフミラー１４が回転可能に軸支されている。即ち、ハーフミラー１４は、レンズユニット２０をカメラボディ１２に装着した際の撮影レンズ２２から入射した被写体像の光路上に位置するファィンダモードとしての第１位置（図１１では実線で示す），および第１位置から４５度時計方向に回転して光路上から退避させる撮影モードとしての第２位置（図１１では２点鎖線で示す）の角範囲に亘って回転する。
【０００７】
そして、レリーズボタン１６が押圧されると、ファィンダモードから撮影モードへと切換えられるように設定されており、ハーフミラー１４が第１位置から第２位置へ回転する。即ち、ファィンダモードでは、ハーフミラー１４が光路上に位置するので、ハーフミラー１４で反射された被写体像がファィンダ１８上に写し出され、そのため被写体に対する焦点または構図などが確認できる。一方、撮影モードでは、ハーフミラー１４が光路上から退避するので、後述するフィルム３０の撮像面に撮影レンズ２２から入射された被写体像が結像される。
【０００８】
一方、フィルムバック２６には、カメラボディ１２の開口部１３に対応する部位に、開口部１３と同様な形状の開口部２７が形成されている。また、フィルムバック２６は、６ｃｍ×６ｃｍサイズのいわゆる中判用のフィルム３０を収納可能としている。なお、フィルムバック２６内には、フィルム３０を駆動させるための図示しない駆動装置などが配置されている。
【０００９】
そして、フィルム３０は、フィルムバック２６における開口部４１側の内壁面２６Ａに沿うよう（開口部４１に近接した位置に）配置されている。即ち、図１１に示すようなカメラバック交換タイプのカメラ１０では、ファィンダ１８上に写し出された被写体像が、フィルム３０の撮像面に結像される被写体像と同一になるように、第１位置に配置されたハーフミラー１４からファィンダ１８までの距離Ｌ１と，ハーフミラー１４からフィルム３０までの距離Ｌ２とが同一となるよう設定されている。
【００１０】
そのため、上記カメラ１０は、フィルム３０を内壁面２６Ａの開口部２７に近接するよう配置させることにより、距離Ｌ２が距離Ｌ１に等しくなるように設定している。なお、フィルムバック２６には断面台形状のガイドレール２８が開口部２７を挟んで上下に一対突設されており、カメラボディ１２にはガイドレール２８に対応するガイド溝１２Ａが一対凹設されている。
【００１１】
また、カメラボディ１２およびフィルムバック２６には、開口部１３および２７同士が一致する状態において、カメラボディ１２およびフィルムバック２６を位置決めする図示しないストッパがそれぞれ形成されている。そして、ガイドレール２８をガイド溝１２Ａに嵌合させ、かつ上記ストッパによってカメラボディ１２およびフィルムバック２６を位置決めする。
【００１２】
【発明が解決しようとする課題】
ところで、上述したカメラバック交換カメラ１０において、カメラボディ１２に装着するデジタル用のカメラバックのＣＣＤは、その撮像面がフィルム３０の撮像面と等しい位置となるよう配設する必要がある。即ち、デジタル用のカメラバックは、そのＣＣＤの配置位置を、ハーフミラー１４からファィンダ１８までの距離Ｌ１と，ハーフミラー１４からＣＣＤまでの距離とが同一となるよう設定する必要がある。
【００１３】
そのため、ＣＣＤは開口部２７側の内壁面２６Ａに沿うよう近接しているので、デジタル用のカメラバックをカメラボディ１２から取外した状態ではＣＣＤが開口部２７から露出した状態となる。即ち、カメラボディ１２およびデジタル用のカメラバックの接続面と，撮影レンズ２２から入射した被写体像の結像面（具体的には、ＣＣＤの撮像面）とが非常に近くなっているので、デジタル用のカメラバックをカメラボディ１２から取外す時にＣＣＤの撮像面が開口部２７を介して外部に露出し、埃などの塵がＣＣＤの撮像面に付着するおそれがある。
【００１４】
そして、ＣＣＤの撮像面に塵が付着すると、塵が付着した画素部分には光が入射しないので、塵が付着した以後の画像データに基づく撮像画像には黒傷が現れるなど画像品質が悪くなったままの状態が延々と続くことになる。また、撮像面に付着した塵を取除く際、撮像面に傷が付くおそれもある。即ち、ＣＣＤなどの撮像素子の場合には、フィルムの場合とは異なり、塵または傷が一旦撮像面に付くと、以後に得られる画像データに基づく画像品質が悪いままである。
【００１５】
特に、ＣＣＤが外気に晒される機会が多いカメラバック交換カメラ１０では、その交換時などにおいて、ＣＣＤの撮像面に塵が付着しないようにする要望が強かった。一方、カメラバック交換カメラではないが、ＣＣＤなどに対する防塵機構を設けたレンズ交換式デジタルカメラは、存在している。
【００１６】
例えば、特開２０００−２４１８６９号公報に記載されているレンズ交換式デジタルカメラでは、防塵用の透明カバーを、カメラボディの交換レンズユニットおよび交換ファィンダユニットの接続部分に装着していた。また、特開２０００−２４１８６９号公報には、その図４に示されるように、カメラボディの交換レンズユニット側の接続部分に、交換レンズユニットの着脱に連動するシャッタを設けた技術が開示されている。
【００１７】
しかし、特開２０００−２４１８６９号公報に係る発明では、撮影レンズから入射した被写体像の光路上に透明カバーを介在させた場合でも、透明カバーに塵または傷が付くと、画像データに基づく画像品質が悪くなる。また、特開２０００−２４１８６９号公報に係る発明では、交換レンズユニットの着脱に連動するシャッタが、上記交換ファィンダユニットの交換レンズユニット側に設けている例であるので、シャッタ機構を設けるスペースとして十分に余裕がある。
【００１８】
即ち、特開２０００−２４１８６９号公報に係る発明は、レンズ交換式デジタルカメラを前提としており、カメラボディ内にハーフミラーおよびハーフミラーの奥側に撮像素子を設けている。一方、図１１に示すカメラバック交換カメラは、上述したように、レンズユニット２０および図示しないデジタル用のカメラバックを、カメラボディ１２に対して着脱可能とする構成であり、かつ光学における構成上の必要からＣＣＤを、デジタル用カメラバックの開口部側の内壁面に沿うよう近接させている。
【００１９】
従って、図１１に示すカメラバック交換カメラでは、特開２０００−２４１８６９号公報に係るレンズ交換式デジタルカメラとは異なり、ＣＣＤに対する防塵機構を、デジタル用カメラバックの接続部付近（例えば、開口部の前面側）に設ける余裕のスペースが十分にとれない。なお、カメラバック交換カメラの中には、デジタル用カメラバックをカメラボディ１２から取外した後に、別体の蓋を前記開口部に装着する機構があった。しかし、別体の蓋を開口部に対して着脱する構成では、デジタル用カメラバックの取外し時に、ＣＣＤの撮像面に塵が付着するおそれがある。
【００２０】
また、特開平９−３３１４７５号公報にはカメラボディのアパーチャを開閉するためのシャッタを設けた例が開示されているが、上記シャッタの構成はデジタル用カメラバックの取外し時でのＣＣＤに対する防塵機構ではない。
【００２１】
一方、現在使用されているデジタル用カメラバックが装着されたカメラバック交換カメラなどの撮像装置には、例えば１０００万画素以上の高解像度用撮像素子が、デジタル用カメラバック内に配置されていた。そして、上記高解像度用撮像素子で撮像した画像データに基づいてビデオ信号を生成する際には、膨大な信号処理を行う必要があり、または上記画像データをパーソナル・コンピュータ（ＰＣ）などに転送しかつＰＣで画像処理することによって撮影者などに撮影画像をＰＣの表示装置に表示し確認を行っていた。
【００２２】
しかし、１０００万画素以上の高解像度用撮像素子では、膨大な信号処理を行う必要上から、撮影画像を表示させるのに少なくとも２秒以上を要していたので、スルー画像を得ることできなかった。そこで、デジタル用カメラバックが装着されたカメラバック交換カメラなどの撮像装置において、撮影レンズから入射された被写体像を確認する確認モード，および上記被写体像を高解像度の画像データとして実際に記録する記録モードの両者の機能を備えるものがあれば、便利である。なお、上記撮像装置において、スルー画像の画像データの他に、高解像度の画像データを記録させる場合には、スルー画像用撮像素子および記録用撮像素子の撮像素子がそれぞれ必要となり、合計すると撮像素子が２個となる。
【００２３】
ところで、特開平７−２０３３１８号公報には、動画撮影用撮像素子と静止撮影用撮像素子の２個を備えた撮像装置が開示されている。そして、特開平７−２０３３１８号公報は、撮影レンズから入射された被写体像をハーフミラーで分光して結像させることにより、２個の撮像素子で得られた２つの画像データを合成し、高精細化の画像データを得る技術である。即ち、特開平７−２０３３１８号公報に係る発明は、スルー画像用撮像素子で得られたスルー画像を確認用として用い、さらにスルー画像用撮像素子よりも解像度が高い記録用撮像素子によって被写体を実際に撮像する技術ではない。
【００２４】
本発明の目的は、上記事実を考慮して、撮像素子がデジタル用カメラバックの開口部側の内壁面に沿うよう近接されている場合における、デジタル用カメラバックの着脱前に撮像素子の撮像面を確実に閉止し得るようにする。
【００２５】
また、本発明の更なる目的は、確認用撮像素子によって被写体を確認し、この確認後に確認用撮像素子よりも解像度が高い記録用撮像素子で被写体を実際に撮像することにより、撮影時の画像処理を円滑かつ確実にする。
【００２６】
【課題を解決するための手段】
請求項１記載の撮像装置では、撮影レンズから入射した被写体像を撮像するための撮像素子が、撮像面と等しい位置となるように収納されたデジタル用のカメラバックを、カメラ本体に対して着脱可能にした撮像装置であって、前記撮影レンズから入射した被写体像の光路上に前記撮像素子よりも大きいサイズの開口部が形成された前記カメラバック内に配置され、前記撮像素子を取付けた支持手段と、前記支持手段に設けられ、前記開口部に対向する位置に移動して該開口部を閉鎖する閉鎖手段と、前記支持手段を移動させ、前記撮像素子または前記閉鎖手段を前記開口部に対向する位置に移動させる移動手段と、を有する。
【００２７】
請求項１記載に係る発明においては、デジタル用のカメラバックを、カメラ本体に対して着脱する。デジタル用のカメラバックを取外す前に（即ち、カメラバックをカメラ本体に装着した状態において）、移動手段によって支持手段を移動させ、閉鎖手段をカメラバックの開口部に対向する位置に移動させる。即ち、デジタル用のカメラバックを取外す前に、撮像素子をデジタル用のカメラバック内に移動させ、撮像素子の撮像面が直接外部に露出しないようにする。そして、デジタル用のカメラバックをカメラ本体に装着した後にデジタル撮影する場合には、移動手段によって支持手段を移動させ、撮像素子をカメラバックの開口部に対向する位置に移動させる。
【００２８】
請求項１記載に係る発明によれば、デジタル用のカメラバックを取外す前に移動手段によって閉鎖手段を開口部に対向させると共に撮像素子をデジタル用のカメラバック内に移動させることができるので、デジタル用のカメラバックの着脱時に撮像素子の撮像面が直接外部に露出しない。
【００２９】
即ち、請求項１記載に係る発明によれば、デジタル用のカメラバックの着脱時に塵が撮像素子の撮像面に付着することがなく、かつ塵を撮像面から取除くことが不要となり撮像面に傷が付かなくなるので、画像データに基づく撮像画像の画像品質の悪化が防止される。なお、請求項１記載に係る発明では、閉鎖手段を撮像素子が配置された支持手段に固定させても良い。
【００３０】
請求項２記載の撮像装置では、前記撮像素子が前記開口部に対応する位置に配置されている場合に、前記カメラバックを前記カメラ本体に係止させるための係止手段をさらに設け、前記閉鎖手段が前記開口部に対応する場合にのみ、前記係止手段の係止を解除可能とした。
【００３１】
請求項２記載に係る係止手段は、撮像素子が開口部に対応する位置に配置されている場合に、デジタル用カメラバックをカメラ本体に係止させる。また、閉鎖手段が開口部に対応する場合にのみ、係止手段の係止が解除される。即ち、請求項２記載に係る発明によれば、撮像素子をデジタル用カメラバック内に移動させた後にのみ、カメラ本体からデジタル用カメラバックを取外すことができるように構成したので、デジタル用カメラバックの着脱時での撮像面に対する塵の付着を確実に防止し得る。
【００３６】
【発明の実施の形態】
以下、図１乃至図１１に基づいて、本発明の実施形態であるカメラバック交換カメラについて説明する。なお、図１は本実施形態のカメラバック交換カメラを一部破断した側面図、図２は図１に示すデジタル用カメラバックの斜視図、図３は図１に示すカメラバック交換カメラを一部破断した平面図、図４は図１に示すカメラバック交換カメラの構成を示すブロック図である。また、図１および図７において、上述した図１１と対応する部分には同一符号を付す。
【００３７】
図１に示すように、本実施形態に係るカメラバック交換カメラ（以下、単に「カメラ」という）１０は、カメラ本体であるカメラボディ１２を中間に挟んで、レンズユニット２０およびフィルムバック２６またはデジタルバック４０を着脱可能としている。
【００３８】
即ち、カメラボディ１２の前部には、被写体像を結像させるための複数のレンズ２２などを備えるレンズユニット２０が、図示しない接続部を介して着脱可能となっている。また、カメラボディ１２の後部に対しては、フィルムバック２６またはデジタルバック４０が、それぞれ着脱（交換）し得るように構成されている。
【００３９】
カメラボディ１２の上部には、フォーカスを確認するためのファィンダ１８が配置されていると共に、このファィンダ１８を開閉するための蓋１９が回転可能に軸支されている。また、カメラボディ１２の後面には、撮影レンズ２２から入射した被写体像の光路上に、開口部１３が形成されている。
【００４０】
さらに、カメラボディ１２の前面にはレリーズボタン１６が配置されており、かつカメラボディ１２内にはハーフミラー１４が回転可能に軸支されている。即ち、ハーフミラー１４は、レンズユニット２０をカメラボディ１２に装着した際の撮影レンズ２２から入射した被写体像の光路上に位置するファィンダモードとしての第１位置（図１では実線で示す），および第１位置から４５度時計方向に回転して光路上から退避させる撮影モードとしての第２位置（図１では２点鎖線で示す）の角範囲に亘って回転する。
【００４１】
そして、レリーズボタン１６が押圧されると、ファィンダモードから撮影モードへと切換えられるように設定されており、ハーフミラー１４が第１位置から第２位置へ回転する。即ち、ファィンダモードでは、ハーフミラー１４が光路上に位置するので、ハーフミラー１４で反射された被写体像がファィンダ１８上にし出され、そのためファィンダ１８を黙視することによって被写体に対する焦点または構図などが確認できる。
【００４２】
一方、撮影モードでは、ハーフミラー１４が光路上から退避するので、図１１に示すフィルムバック２６に配置されるフィルム３０の撮像面，または図１に示すデジタルバック４０に配置される撮像素子としてのＣＣＤ５０，５２の撮像面５０Ａ，５２Ａ（図２参照）に撮影レンズ２２から入射された被写体像が結像される。
【００４３】
図１１に示すように、フィルムバック２６には、カメラボディ１２の開口部１３に対応する部位に、開口部１３と同様な形状の開口部２７が形成されている。また、フィルムバック２６は、６ｃｍ×６ｃｍサイズのいわゆる中判用のフィルム３０を収納可能としている。さらに、フィルムバック２６内には、フィルム３０を駆動させるための図示しない駆動装置などが配置されている。なお、本実施形態は、いわゆる大判用のフィルムを、フィルムバック２６に対し収納可能としても良い。
【００４４】
そして、フィルム３０は、開口部２７側の内壁面２６Ａに沿うよう（開口部２７に近接した位置に）配置されている。即ち、カメラ１０では、ファィンダ１８上に写し出された被写体像が、フィルム３０の撮像面に結像される被写体像と同一になるように、第１位置に配置されたハーフミラー１４からファィンダ１８までの距離Ｌ１と，ハーフミラー１４からフィルム３０までの距離Ｌ２とが同一となるよう設定されている。
【００４５】
そのため、カメラ１０は、フィルム３０を内壁面２６Ａの開口部２７に近接するよう配置させることにより、距離Ｌ２が距離Ｌ１に等しくなるように設定している。なお、フィルムバック２６には断面台形状のガイドレール２８が開口部２７を挟んで上下に一対突設されており、カメラボディ１２にはガイドレール２８に対応するガイド溝１２Ａが一対凹設されている。
【００４６】
また、カメラボディ１２およびフィルムバック２６には、開口部１３および２７同士が一致する状態において、カメラボディ１２およびフィルムバック２６を位置決めする図示しないストッパがそれぞれ形成されている。そして、ガイドレール２８をガイド溝１２Ａに嵌合させ、かつ上記ストッパによってカメラボディ１２およびフィルムバック２６を位置決めする。
【００４７】
一方、図１に示すように、デジタルバック４０には、カメラボディ１２の開口部１３に対応する部位に、開口部１３と同様な形状の開口部４１が形成されている。また、デジタルバック４０には、カメラボディ１２に形成された一対のガイド溝１２Ａに対応する部位に、フィルムバック２６に形成されたガイドレール２８（図１１参照）と同様な断面台形状のガイドレール４２が開口部４１を挟んで上下に一対突設されている。
【００４８】
図１乃至図３に示すように、デジタルバック４０には、長方形の板状に形成された支持手段である支持部材４４が、図１および図３に示す移動手段の一部を構成するレール４６にスライド可能に装着されている。即ち、図１に示すように、支持部材４４の裏面でかつ短手方向の両端部に一対形成された断面略正方形状の突部４４Ａは、突部４４Ａに対応するように配置された一対のレール４６の凹部４６Ａと嵌合している。
【００４９】
そのため、支持部材４４は、レール４６に支持された状態において、スライドする。また、支持部材４４にはデジタルバック４０から突出した操作ノブ４５が配置されており、この操作ノブ４５によって支持部材４４をスライドさせる。さらに、デジタルバック４０には、操作ノブ４５に対応する部位に、支持部材４４がスライドする範囲に亘って長孔状のスライド孔４０Ｂが形成されている。
【００５０】
なお、スライド孔４０Ｂには、デジタルバック４０内に塵などの侵入を防止する弾性変形可能な密閉手段（図示省略）が配置されている。また、本実施形態では支持部材４４をスライド可能とした例であるが、本発明では支持手段を回転可能とさせても良い。
【００５１】
図２に示すように、支持部材４４の表面側（即ち、デジタルバック４０における開口部４１側の内壁面４０Ａ）には、開口部４１を閉鎖するための閉鎖手段であるシャッタ４８と，撮影レンズ２２から入射される被写体像を確認するための確認用のＣＣＤ５０と，撮影レンズ２２から入射された被写体像を実際に記録するための記録用のＣＣＤ５２とが支持部材４４の長手方向に沿って直線状に配置されている。即ち、記録用ＣＣＤ５２を真中に挟んで、右側（図３では上側）にはシャッタ４８が配置され、左側（図３では下側）には確認用ＣＣＤ５０が配置されている。
【００５２】
確認用ＣＣＤ５０および記録用ＣＣＤ５２は、中判用フィルム３０と同様に、６ｃｍ×６ｃｍのサイズとなっている。なお、シャッタ４８は、開口部４１が閉鎖できるように、開口部４１よりも大きくなっている。また、開口部４１は、ＣＣＤ５０および５２の撮像面が完全に露出できるように、ＣＣＤ５０および５２よりも大きくなっている。
【００５３】
確認用ＣＣＤ５０および記録用ＣＣＤ５２は上述したように同一のサイズとなっているが、それぞれの画素数（解像度）を変えている。即ち、確認用ＣＣＤ５０は、最大画素数を２００万画像とし、スルー画像が得られるように処理する画素数を少なくしている。一方、記録用ＣＣＤ５２は、最大画素数を１０００万画像とし、確認用ＣＣＤ５０よりも解像度を高くしている。なお、ＣＣＤ５０および５２の画素数は、任意に変更できる。
【００５４】
そして、支持部材４４は、ＣＣＤ５０，５２またはシャッタ４８が、撮影レンズ２２から入射した被写体像の光路上（開口部４１）に、それぞれ対向する位置で一時的に停止し得るよう（切換可能）に設定している。即ち、支持部材４４は、図示しないクリップ機構を介して、上述した停止位置にそれぞれ位置決めされる。なお、図２に示すように、デジタルバック４０の操作ノブ４５に対応するそれぞれの停止位置には、文字などの識別手段が設けられている。
【００５５】
デジタルバック４０には、上記クリップ機構に連動する検出スイッチ９６（図４参照）が、配置されている。そして、確認用ＣＣＤ５０または記録用ＣＣＤ５２が開口部４１にそれぞれ対向する位置に移動されると、検出スイッチ９６が、確認用ＣＣＤ５０か記録用ＣＣＤ５２かを検出する。即ち、カメラ１０には、確認用ＣＣＤ５０が開口部４１に対向（撮影レンズ２２の光路上に位置）する確認モード、および記録用ＣＣＤ５２が開口部４１に対向する記録モードを有する。
【００５６】
また、確認用ＣＣＤ５０および記録用ＣＣＤ５２は、それらの撮像面５０Ａおよび５２Ａが、フィルム３０の撮像面と等しい位置となるよう配設されている。即ち、デジタルバック４０は、ＣＣＤ５０，５２の配置位置を、ハーフミラー１４からファィンダ１８までの距離Ｌ１と，ハーフミラー１４からＣＣＤ５０，５２までの距離とが同一となるよう設定されている。
【００５７】
そのため、ＣＣＤ５０，５２は内壁面４０Ａの開口部４１に沿うよう近接しているので、デジタルバック４０をカメラボディ１２から取外した状態ではＣＣＤ５０，５２が開口部４１から露出した状態となる。即ち、カメラボディ１２およびデジタルバック４０の接続面と，撮影レンズ２２から入射した被写体像の結像面（ＣＣＤ５０，５２の撮像面５０Ａ，５２Ａ）とが非常に近くなっている。
【００５８】
さらに、デジタルバック４０およびカメラボディ１２には、デジタルバック４０とカメラボディ１２とをロックするための図示しないロック装置（係止手段）が設けられている。このロック装置は、シャッタ４８が開口部４１に対向する位置（図７および図８参照）すなわち閉止モードにおいてのみデジタルバック４０とカメラボディ１２とのロックを解除可能とし、一方ＣＣＤ５０または５２が開口部４１に対向する位置（図１乃至図３参照）すなわち確認モードおよび記録モードではデジタルバック４０をカメラボディ１２から取外しできないように構成している。
【００５９】
即ち、上記ロック装置は、デジタルバック４０に配置された突出または没入可能な係止ピンと、この係止ピンに対応してカメラボディ１２に形成された係止孔と、シャッタ４８が開口部４１に対向する位置で支持部材４４と当接するデジタルバック４０に配置内された可動片を備え、支持部材４４が可動片を移動させることによって係止ピンを係止孔に対して嵌合または離間させるように構成している。なお、本実施形態では、ＣＣＤ５０，５２とシャッタ４８とを別個の支持手段にそれぞれ配置させても良い。
【００６０】
次に、図４に基づき、カメラ１０の制御系に関する構成について概略する。カメラ１０は、図１に示す撮影レンズ２２を含んで構成された光学ユニット２０と、図２および図３に示す確認用ＣＣＤ５０および記録用ＣＣＤ５２と、確認用ＣＣＤ５０または記録用ＣＣＤ５２からの出力信号に基づき被写体像を示すデジタル画像データを生成すると共に光学ユニット６０の各部，ＣＣＤ５０または５２などを駆動するためのタイミング信号を生成する信号処理部６２と、デジタルカメラ１０の全体的な動作を司る主制御部７０と、ＣＣＤ５０または５２を駆動する垂直・水平ドライバ６４と、を含んで構成されている。
【００６１】
なお、図４では、ＣＣＤ５０または５２を単体として図示されているが、ＣＣＤ５０または５２のうちのいずれか一方が選択（移動）され、そして選択されたＣＣＤ５０または５２の出力信号が信号処理部６２に入力されるように構成されている。
【００６２】
カメラ１０は、ＣＣＤ５０または５２による撮像によって得られた被写体像や各種情報を表示するＬＣＤ８２と、ＬＣＤ８２の表面に設置された感圧式のタッチパネル８３と、主としてＣＣＤ５０または５２による撮像によって得られたデジタル画像データを記憶するＳＤＲＡＭ（Synchronous Dynamic RAM）８４と、各種パラメータやプログラム等を記憶したフラッシュＲＯＭ８６と、主制御部７０に対して電源電力を供給する電源部９４と、を含んで構成されている。
【００６３】
信号処理部６２は、相関２重サンプリング回路（ＣＤＳ）６６と、ゲインコントローラ（ＧＣ）６７と、Ａ／Ｄコンバータ６８と、タイミングジェネレータ（ＴＧ）６９と、を含んで構成されている。
【００６４】
また、主制御部７０は、主制御部７０全体の動作を司るＣＰＵ（中央演算処理装置）７１と、所定容量のラインバッファを内蔵した撮像制御部７２と、所定の圧縮形式でデジタル画像データに対して圧縮処理を施すと共に、圧縮処理されたデジタル画像データに対して伸張処理を施す圧縮・伸張部７３と、メディア制御部７４と、ＬＣＤ制御部７５と、インターフェイス（Ｉ／Ｆ）７６と、外部接続部７８と、がバスＢＵＳを介して相互に接続されて構成されている。
【００６５】
メディア制御部７４には、スマートメディア（ＳＳＦＤＣ）、ＩＣカード、ＣＤ−Ｒ、ＣＤ−ＲＷ等の可搬型の記憶メディア８０が接続されている。そして、記憶メディア８０に対する各種情報の書き込みや当該記憶メディア８０に書き込まれている各種情報の読み出しは、メディア制御部７４によって制御される。
【００６６】
ＬＣＤ制御部７５にはＬＣＤ８２が接続されており、ＬＣＤ８２にはＬＣＤ制御部７５の制御下で各種情報の表示がなされる。外部接続部７８にはＩＥＥＥ１３９４（有線通信）９０が接続されており、外部接続部７８は有線通信９０に接続されたパーソナル・コンピュータ（ＰＣ）９２との間の有線通信９０による通信を司る。ここで、ＩＥＥＥ１３９４を用いたのは、データの転送を高速処理させるためである。
【００６７】
一方、タッチパネル８３、ＳＤＲＡＭ８４及びフラッシュＲＯＭ８６は主制御部７０のバスＢＵＳに接続されている。従って、ＣＰＵ７１は、タッチパネル８３に対するユーザによる接触位置を把握することができると共に、ＳＤＲＡＭ８４及びフラッシュＲＯＭ８６を任意にアクセスすることができる。
【００６８】
ＣＣＤ５０または５２の出力端は、相関２重サンプリング回路６６、ゲインコントローラ６７、及びＡ／Ｄコンバータ６８を順に介して撮像制御部７２に接続されている。ＣＣＤ５０または５２から出力された信号は、相関２重サンプリング回路６６によって相関２重サンプリング処理が施され、ゲインコントローラ６７によってＣＣＤ５０または５２におけるＲ（赤），Ｇ（緑），Ｂ（青）毎の感度調整が施された後、各画素毎のＲ、Ｇ、Ｂ信号としてＡ／Ｄコンバータ６８に加えられる。
【００６９】
Ａ／Ｄコンバータ６８は、ゲインコントローラ６７から順次加えられるＲ，Ｇ，Ｂ信号を、各々１２ビットのＲ，Ｇ，Ｂ信号（以下、「デジタル画像データ」という。）に変換して撮像制御部７２に出力する。そして、撮像制御部７２は、内蔵しているラインバッファにＡ／Ｄコンバータ６８から順次入力されるデジタル画像データを、蓄積して一旦ＳＤＲＡＭ８４に格納する。
【００７０】
ＳＤＲＡＭ８４に格納されたデジタル画像データは、ＣＰＵ７１によって読み出され、これらに光源種に応じたデジタルゲインをかけることでホワイトバランス調整を行なうと共に、ガンマ処理及びシャープネス処理を行なって８ビットのデジタル画像データを生成し、更にＹＣ信号処理して輝度信号Ｙとクロマ信号Ｃｒ、Ｃｂ（以下、「ＹＣ信号」という。）を生成し、ＹＣ信号を再びＳＤＲＡＭ８４に格納する。
【００７１】
図１に示すレリーズボタン１６が撮影者によって押圧操作された場合には、圧縮・伸張部７３によって所定の圧縮形式で圧縮されたＹＣ信号またはＹＣ信号処理などの加工が施されていないＲ，Ｇ，Ｂの画像信号（ＲＡＷデータ）のいずれかが、メディア制御部７４を介して記憶メディア８０に記憶される。記憶メディア８０には、被写体の画像データが、メディア制御部７４を介して記憶メディア８０に記憶される。なお、レリーズボタン１６が押圧操作されると、レリーズシンクロ信号がＣＰＵ７１へ出力される。即ち、レリーズシンクロ信号は、レリーズボタン１６が押圧操作されたタイミングを示す信号である。
【００７２】
一方、タイミングジェネレータ６９には、垂直・水平ドライバ６４及び撮像制御部７２が接続されている。タイミングジェネレータ６９は、ＣＣＤ５０または５２を駆動させるためのタイミング信号を垂直・水平ドライバ６４に、撮像制御部７２を駆動させるためのタイミング信号を撮像制御部７２に、それぞれ出力する。
【００７３】
ところで、カメラ１０には、ＩＥＥＥ１３９４を介してパーソナル・コンピュータ９２に接続された際の通信モードとして、接続されたパーソナル・コンピュータ９２に対してＳＤＲＡＭ８４に記憶されているデジタル画像データなどを、連続的に送信することができるように構成されている。
【００７４】
主制御部７０には、ＣＣＤ５０または５２のうちのいずれか一方が選択（移動）されたかを、検出する検出スイッチ９６が接続されている。即ち、図１に示す支持部材４４を介して確認用ＣＣＤ５０または記録用ＣＣＤ５２を開口部４１に対向するように移動させる。検出スイッチ９６は、確認用ＣＣＤ５０または記録用ＣＣＤ５２が、開口部４１に対向する位置に位置決めされていることを検出する。また、選択された確認用ＣＣＤ５０または記録用ＣＣＤ５２の出力信号が信号処理部６２に入力される。
【００７５】
そして、検出スイッチ９６の検出信号に基づき、ＣＰＵ７１は制御信号をタイミングジェネレータ６９へ出力する。タイミングジェネレータ６９のタイミング信号は、上記選択されたＣＣＤ５０または５２に応じて生成され、垂直・水平ドライバ６４へ出力される。
【００７６】
インターフェイス７６にはビデオアウト８８が接続されており、このビデオアウト（端子）８８には確認用ＣＣＤ５０によって得られた動画像（スルー画像）データが出力される。そして、検出スイッチ９６によって確認用ＣＣＤ５０が開口部４１に対向する位置に位置決めされていることをＣＰＵ７１が検出すると、ビデオアウト８８に上記ＲＡＷデータが出力される。
【００７７】
即ち、ビデオアウト８８に例えばテレビなどの映像装置が接続されると、インターフェイス７６およびビデオアウト８８を介してＮＴＳＣ方式に変換された上記ＲＡＷデータが映像装置に出力される。また、ＬＣＤ８２をファインダとして使用する場合にも、上記ＲＡＷデータが、ＬＣＤ制御部７５に各々順次出力される。これによって、ＬＣＤ８２にはスルー画像が表示される。
【００７８】
本実施形態に係るカメラ１０では、確認用ＣＣＤ５０が開口部４１に対向する確認モードの場合、画像データを圧縮・伸張する必要がないので、圧縮・伸張部７３における電源入力をオフするように設定されている。即ち、本実施形態によれば、確認モード時には圧縮・伸張部７３の電源入力をオフするので、電源を有効利用し得る。
【００７９】
引続き、図５に基づき、本実施形態に係る画像データ処理に関する作用について説明する。図５はカメラ１０の電源スイッチ（図示省略）がオンされた際にＣＰＵ４０によって実行される処理ルーチンを示すフローチャートであり、このプログラムはフラッシュＲＯＭ８６の所定領域に予め記憶されている。なお、図４に示す処理は、カメラ１０の電源スイッチがオフされるまで続けられる。
【００８０】
ステップ１００では、検出スイッチ９６の検出信号に基づき、記録用ＣＣＤ５２が開口部４１に対向する記録モードか否かを判断する。ステップ１００が肯定の場合（即ち、記録モードの場合）には、ステップ１０２において、レリーズボタン１６が押圧操作されたタイミングを示すレリーズシンクロ信号が、入力されたか否かを判断する。
【００８１】
ステップ１０２が肯定の場合（即ち、レリーズシンクロ信号が入力された場合）には、ステップ１０４において、画像データをＳＤＲＡＭ８４から読取る。また、ステップ１０６の記録モードでは、ＳＤＲＡＭ８４から読取った画像データを記憶メディア８０に記録する。即ち、記録モードでは、被写体像を高解像度の画像データとして実際に記録する。
【００８２】
一方、ステップ１００が否定の場合（即ち、確認用ＣＣＤ５０が開口部４１に対向する確認モードの場合）には、ステップ１０８において、ビデオスルー画像データをＬＣＤ制御部へ出力させビデオスルー画像をＬＣＤ８２に表示させる。また、ステップ１０８では、ビデオスルー画像データを上記ビデオアウト８８またはパーソナル・コンピュータ９２へそれぞれ出力する。
【００８３】
即ち、確認モードでは、ＬＣＤ８２などに写し出される被写体の焦点，構図などを、スルー画像として確認する。従って、本実施形態によれば、記録用ＣＣＤ５２よりも解像度が低い（すなわち、処理する画素数が少なくて済む）確認用ＣＣＤ５０でスルー画像を表示させるので、構図，焦点確認など撮影者以外のモデル，照明などを行う補助者，クライアントなどが撮影画像を迅速に確認し得る。
【００８４】
そして、ステップ１０２が否定の場合（即ち、レリーズシンクロ信号が入力されなかった場合）またはステップ１０８，ステップ１０６が終了した場合には、ステップ１００に戻り、記録モードか否かを再び判断する。
【００８５】
本実施形態によれば、確認用ＣＣＤ５０によって被写体を確認し、この確認後に確認用ＣＣＤ５０よりも解像度が高い記録用ＣＣＤ５２で被写体を実際に撮像することができるので、的確な構図などにおける高解像度の画像データが得られ、撮影時の画像処理が円滑かつ確実となる。
【００８６】
図６に基づき、本発明に係る他の実施形態について説明する。本実施形態は、確認モードおよび記録モードの各モードにおける回路を別々に設けた例である。なお、図６において、図４と対応する部分には同一符号を付し、その詳細説明は省略する。
【００８７】
以下、本実施形態の制御系に関する構成について概略する。カメラバック交換カメラ（以下、単に「カメラ」という）１００は、記録用ＣＣＤ５２の出力信号が入力される記録用信号処理部１０２と，確認用ＣＣＤ５０の出力信号が入力される確認用信号処理部１１０と、記録用信号処理部１０２および確認用信号処理部１１０をそれぞれ制御する（即ち、カメラ１００の全体的な動作を司る）主制御部１２０とを備える。
【００８８】
高解像度の画像データを記録するための記録用信号処理部１０２は、Ａ／Ｄコンバータ６８と、ＹＣ信号処理，圧縮処理，および伸張処理などを行う画像処理部１０４と、インターフェイス１０６とを備える。そして、インターフェイス１０６には、ビデオアウト８８，パーソナル・コンピュータ９２，およびメモリカード１０８がそれぞれ接続されている。
【００８９】
スルー画像データを生成するための確認用信号処理部１１０は、Ａ／Ｄコンバータ６８と、ＹＣ信号処理等の加工が施されていないＲ，Ｇ，Ｂの画像信号（ＲＡＷデータ）を記録するバッファメモリ１１２と、インターフェイス１１４とを備える。そして、インターフェイス１１４には、パーソナル・コンピュータ９２およびメモリカード１０８がそれぞれ接続されている。なお、メモリカード１１６をインターフェイス１１４に接続可能としたのは、スルー画像データをメモリカード１１６に記録させるためである。
【００９０】
主制御部１２０は、ＣＰＵ７１と，デジタル画像データなどを記憶するＲＡＭ１２２と，および各種パラメータやプログラムなどを記憶したＲＯＭ１２４とを備える。ＣＰＵ７１には、ＲＡＭ１２２，ＲＯＭ１２４，ＬＣＤ８２，電源部９４，検出スイッチ９６，およびモード切換キーなどを備える入力キー１２６が、それぞれ接続されている。なお、ＣＰＵ７１には、図１に示すレリーズボタン１６が押圧操作されたタイミングを示すレリーズシンクロ信号が入力される。
【００９１】
確認用ＣＣＤ５０の出力信号を処理する確認モードでは、確認用信号処理部１１０および主制御部１２０を介し、ＬＣＤ８２にスルー画像を表示させる。一方、記録用ＣＣＤ５２の出力信号を処理する記録モードでは、記録用信号処理部１０２および主制御部１２０を介し、高解像度の画像データがメモリカード１０８に
記録される。
【００９２】
本実施形態においては、確認モードおよび記録モードの各モードに対応する回路（具体的には、記録用信号処理部１０２および確認用信号処理部１１０）をそれぞれ設けたので、例えば確認モードの際には使用する確認用信号処理部１１０の電源をオンにすると共に、使用しない記録用信号処理部１０２の電源入力をオフするように設定できる。
【００９３】
即ち、記録モードの際には、使用する記録用信号処理部１０２の電源をオンにすると共に、使用しない確認用信号処理部１１０の電源入力をオフする。従って、本実施形態によれば、各モードのうち使用していない方の信号処理部１０２または１１０の電源入力をオフし得るので、電源を有効利用し得る。
【００９４】
次に、図１乃至図３，図７，図８，および図１１に基づき、カメラボディ１２に対するフィルムバック２６またはデジタルバック４０の着脱操作，並びに支持部材４４の切換操作について説明する。即ち、ユーザは、支持部材４４をスライドさせることにより、シャッタ４８を開口部４１に対向させる閉止モード，および確認用ＣＣＤ５０または記録用ＣＣＤ５２を開口部４１に対向させる確認モードまたは記録モードを選択する。
【００９５】
そして、図１乃至図３に示すように、デジタル撮影を行う場合には、操作ノブ４５を操作し、記録用ＣＣＤ５２（または確認用ＣＣＤ５０）を開口部４１に対向するよう支持部材４４を移動させ、記録モード（または確認モード）における撮影操作を行う。
【００９６】
一方、ユーザは、デジタルバック４０をカメラボディ１２から取外す前（即ち、デジタルバック４０をカメラボディ１２に装着したままの状態）に、操作ノブ４５を介して支持部材４４を、シャッタ４８が開口部４１に対向するよう移動させ閉止モードとする（図７および図８参照）。即ち、閉止モードでは、確認用ＣＣＤ５０および記録用ＣＣＤ５２をデジタルバック４０内に移動させ、確認用ＣＣＤ５０および記録用ＣＣＤ５２の撮像面５０Ａおよび５２Ａが直接外部に露出していない状態に保持される（図８の想像線参照）。
【００９７】
本実施形態によれば、図７および図８の想像線に示すように、デジタルバック４０を取外す前に支持部材４４を介してシャッタ４８を開口部４１に対向させると共に確認用ＣＣＤ５０および記録用ＣＣＤ５２をデジタルバック４０内に移動させることができるので、デジタルバック４０の着脱時に確認用ＣＣＤ５０および記録用ＣＣＤ５２の撮像面５０Ａおよび５２Ａが直接外部に露出しない。
【００９８】
即ち、本実施形態によれば、デジタルバック４０の着脱時に塵が確認用ＣＣＤ５０または記録用ＣＣＤ５２の撮像面５０Ａまたは５２Ａに付着することがなく、かつ塵を撮像面５０Ａまたは５２Ａから取除くことが不要となり撮像面５０Ａまたは５２Ａに傷が付かなくなるので、画像データに基づく撮像画像の画像品質の悪化が防止される。
【００９９】
なお、デジタルバック４０からフィルムバック２６へと交換するには、デジタルバック４０をカメラボディ１２から取外した後（図７の実線参照）に、フィルムバック２６をカメラボディ１２に装着させる（図１１参照）。
【０１００】
図９および図１０に基づき、本実施形態に係る他のデジタルバック１３０の構成について説明する。本実施形態は、閉止モードにおけるデジタルバック１３０の取外し防止機構の例である。また、本実施形態に係るデジタルバック１３０は、閉止手段であるシャッタ１３２および１個の撮像素子であるＣＣＤ１３４を備える例である。なお、図９において、図１と対応する部分には同一符号を付し、その詳細説明は省略する。
【０１０１】
図９に示すように、デジタルバック１３０には、その正面側（即ち、図１に示す撮影レンズ２２から入射した被写体像の光路側）に形成された開放口１３１を閉鎖するための板状のシャッタ１３２と，ＣＣＤ１３４を取付けた支持手段である板状の支持部材１３６とが、交互に入れ替わるよう配置されている。即ち、図９および図１０に示すように、シャッタ１３２および支持部材１３６は、開放口１３１の両端に支軸１３８および１３９を中心に開閉可能に配置されている。
【０１０２】
即ち、デジタルバック１３０は、支持部材１３６（ＣＣＤ１３４）を開放口１３１に対応させる撮影モード（図９参照）と，シャッタ１３２を開放口１３１に対応させる閉止モード（図１０参照）を有する。また、デジタルバック１３０は、その撮影モードにおいて、ＣＣＤ１３４が図１に示す撮影レンズ２２から入射した被写体像の光路上（結像面）に対応して位置するように設定している。
【０１０３】
また、支軸１３８および１３９の先端には移動手段である回転タイプの摘み（図示省略）が連結されており、これらの摘みを操作することによってシャッタ１３２および支持部材１３６を移動（回転）させる。
【０１０４】
なお、図９に示すように、デジタルバック１３０は、略正方形状になっていると共に、カメラボディ１２の横幅と同一となっている。また、シャッタ１３２および支持部材１３６は、開放口１３１を隠すことができるような大きさとなっている。さらに、デジタルバック１３０には、カメラボディ１２に形成された一対のガイド溝１２Ａに対応する部位に、断面台形状のガイドレール１３０Ａが一対突設されている。
【０１０５】
支持部材１３６の他端側には、係止手段の一部を構成する係止ピン１３７が突設されている。そして、カメラボディ１２には、デジタルバック１３０がカメラボディ１２に装着された状態でかつ閉止モードにおいて、その支持部材１３６の係止ピン１３７に対応する部位に、係止手段の一部を構成する係止孔１２Ｂ（図１０参照）が形成されている。
【０１０６】
なお、本実施形態では支持部材１３６に連動して係止ピン１３７を係止孔１２Ｂに係止またはその解除を行うように構成しているが、本発明では撮影モードまたは閉止モードを自動的に検出することによって係止手段の係止またはその解除を行うように構成しても良い。
【０１０７】
また、カメラボディ１２およびデジタルバック１３０には、開口部１３および１３１同士が一致する状態において、カメラボディ１２およびデジタルバック１３０を位置決めする図示しないストッパがそれぞれ形成されている。そして、ガイドレール１３０Ａをガイド溝１２Ａに嵌合させ、かつ上記ストッパによってカメラボディ１２およびデジタルバック１３０を位置決めする。
【０１０８】
図９に示すように、支持部材１３６（ＣＣＤ１３４）が開放口１３１に対応する位置に配置されている撮影モードでは、係止ピン１３７が係止孔１２Ｂに係止され、デジタルバック１３０がカメラボディ１２に係止される。即ち、撮影モードでは、デジタルバック１３０がガイド溝１２Ａおよびガイドレール１３０Ａに沿うスライドが規制されるので、デジタルバック１３０をカメラボディ１２から取外しできない。一方、図１０に示すように、シャッタ１３２が開放口１３１に対応する位置に配置されている閉止モードでは、係止ピン１３７が係止孔１２Ｂから離間しており、そのためデジタルバック１３０がカメラボディ１２から取外し可能となっている。
【０１０９】
本実施形態によれば、支持部材１３６（ＣＣＤ１３４）をデジタルバック１３０内に移動させた後にのみ、カメラボディ１２からデジタルバック１３０を取外すことができるように構成したので、デジタルバック１３０の着脱時でのＣＣＤ１３４の撮像面１３５に対する塵の付着を確実に防止し得る。その他の構成および作用効果は、図１に示す例と同様であるので、説明は省略する。
【０１１０】
なお、上記実施形態に係るフィルムバック，デジタルバックの形状などの構成は、上記実施形態に限定されるものではなく、任意に変更できる。例えば、上記実施形態では支持部材４４を手動で操作する機構を開示したが、本発明ではモータなどを用いることによって支持手段または閉鎖手段を各モード（確認モード，記録モード，閉鎖モードなど）に対応するよう自動的に移動させても良い。
【０１１１】
また、上記実施形態では、カメラ１０とパーソナル・コンピュータ９２とをＩＥＥＥ１３９４などにより接続する場合について説明したが、本発明はこれに限定されるものではなく、ＩＥＥＥ１３９４以外の有線通信（例えば、ＵＳＢ等）により接続する形態や、無線通信（例えば、ブルートゥース、ＩｒＤＡ等）により接続する形態とすることもできる。さらに、上記実施形態において説明したプログラムの処理の流れ（図５参照）は一例であり、本発明の主旨を逸脱しない範囲内において適宜変更可能であることは言うまでもない。
【０１１２】
【発明の効果】
以上説明したように、請求項１記載に係る発明によれば、デジタル用のカメラバックを取外す前に移動手段によって閉鎖手段を開口部に対向させると共に撮像素子をデジタル用のカメラバック内に移動させることができるので、デジタル用のカメラバックの着脱時に撮像素子の撮像面が直接外部に露出しない。即ち、請求項１記載に係る発明によれば、デジタル用のカメラバックの着脱時に塵が撮像素子の撮像面に付着することがなく、かつ塵を撮像面から取除くことが不要となり撮像面に傷が付かなくなるので、画像データに基づく撮像画像の画像品質の悪化が防止される。
【０１１３】
請求項３記載に係る発明によれば、記録用撮像素子よりも解像度が低い確認用撮像素子でスルー画像を表示させるので、構図，焦点確認など撮影者以外のモデル，照明などを行う補助者，クライアントなどが撮影画像を迅速に確認し得る。即ち、請求項３記載に係る発明によれば、確認用撮像素子によって被写体を確認し、この確認後に確認用撮像素子よりも解像度が高い記録用撮像素子で被写体を実際に撮像することができるので、的確な構図などにおける高解像度の画像データが得られ、撮影時の画像処理が円滑かつ確実となる。
【図面の簡単な説明】
【図１】本発明の実施形態に係るカメラバック交換カメラを一部破断した側面図である。
【図２】図１に示すデジタル用カメラバックの斜視図である。
【図３】図１に示すカメラバック交換カメラを一部破断した平面図である。
【図４】図１に示すカメラの構成を示すブロック図である。
【図５】本実施形態に係る画像データ処理の流れを示すフローチャートである。
【図６】他のカメラの構成を示すブロック図である。
【図７】図１に示すデジタルバックをカメラボディから取外した状態の一部破断した側面図である。
【図８】図７に対応するデジタルバックの斜視図である。
【図９】他のデジタルバックの構成を示す断面図である。
【図１０】図９に示すデジタルバックの閉止モードにおける断面図である。
【図１１】フィルムバックが装着されたカメラバック交換カメラの一部破断した側面図である。
【符号の説明】
１０        カメラバック交換カメラ（撮像装置）
１２        カメラボディー（カメラ本体）
１２Ａ      カメラボディーの係止孔（係止手段）
１３        カメラボディーの開口部
２２        撮影レンズ
２６        フィルムバック
２７        フィルムバックの開口部
３０        フィルム
４０        デジタルバック
４１        デジタルバックの開放口
４４        支持部材（支持手段）
４４Ａ      支持部材の突部（移動手段）
４５        操作ノブ（移動手段）
４６        ガイドレール（移動手段）
４６Ａ      ガイドレールの凹部（移動手段）
４８        シャッタ（閉止手段）
５０        確認用ＣＣＤ（撮像手段）
５０Ａ      確認用ＣＣＤの撮像面
５２        記録用ＣＣＤ（撮像手段）
５２Ａ      記録用ＣＣＤの撮像面
１３０      デジタルバック
１３１      デジタルバックの開放口
１３２      シャッタ（閉止手段）
１３４      ＣＣＤ（撮像手段）
１３４Ａ    ＣＣＤの撮像面
１３６      支持部材（支持手段）
１３７      支持部材の係止ピン（係止手段）
【図１】
0004119678.tif 000002
【図２】
0004119678.tif 000003
【図３】
0004119678.tif 000004
【図４】
0004119678.tif 000005
【図５】
0004119678.tif 000006
【図６】
0004119678.tif 000007
【図７】
0004119678.tif 000008
【図８】
0004119678.tif 000009
【図９】
0004119678.tif 000010
【図１０】
0004119678.tif 000011
【図１１】
0004119678.tif 000012